(57)【要約】【課題】受信装置および表示端末によって構成される受信表示システムで、表示端末が当該受信表示システムの外部から直接、データを受信する機能を持たなくても、当該受信表示システムの外部からバージョンアップ後のプログラムを送信することによって、受信装置および表示端末をバージョンアップできるようにする。【解決手段】バージョンアップ後のプログラムは、ＣＳデジタル放送またはＢＳデジタル放送のデータ放送として送信される。受信装置１０は、そのバージョンアップ後のプログラムを受信し、それが受信装置１０用のものであるときには、自装置のＲＯＭ１３に書き込み、それが表示端末３０用のものであるときには、表示端末３０に転送する。表示端末３０は、その受信装置１０から転送されたバージョンアップ後のプログラムを、自装置のＲＯＭ３３に書き込む。【選択図】図１
2007184753.tif 000002
【特許請求の範囲】
【請求項１】
外部から送信されたデータを受信する受信装置と、この受信装置と無線接続または有線接続され、受信装置から送信されたデータを受信してディスプレイ上に情報を表示する表示端末とからなる受信表示システムであって、
前記受信装置は、外部からバージョンアップ後のプログラムを受信したとき、当該プログラムが自装置用のバージョンアップ後のプログラムであるか前記表示端末用のバージョンアップ後のプログラムであるかを判断して、当該プログラムが自装置用のバージョンアップ後のプログラムであるときには、当該プログラムを自装置の記憶部に書き込むとともに、当該プログラムが前記表示端末用のバージョンアップ後のプログラムであるときには、当該プログラムを前記表示端末に転送し、
前記表示端末は、前記受信装置から転送された自装置用のバージョンアップ後のプログラムを、自装置の記憶部に書き込む、
ことを特徴とする受信表示システム。
【請求項２】
請求項１の受信表示システムにおいて、
前記受信装置は、自装置用のバージョンアップ後のプログラムを、自装置の記憶部の、現在使用しているプログラム領域とは別のプログラム領域に書き込み、
前記表示端末は、自装置用のバージョンアップ後のプログラムを、自装置の記憶部の、現在使用しているプログラム領域とは別のプログラム領域に書き込む、
ことを特徴とする受信表示システム。
【請求項３】
請求項１または２の受信表示システムにおいて、
前記受信装置は、デジタル放送を受信する装置であることを特徴とする受信表示システム。
【請求項４】
表示端末と無線接続または有線接続され、外部から送信されたデータを受信する受信装置であって、
外部からバージョンアップ後のプログラムを受信したとき、当該プログラムが自装置用のバージョンアップ後のプログラムであるか前記表示端末用のバージョンアップ後のプログラムであるかを判断して、当該プログラムが自装置用のバージョンアップ後のプログラムであるときには、当該プログラムを自装置の記憶部に書き込むとともに、当該プログラムが前記表示端末用のバージョンアップ後のプログラムであるときには、当該プログラムを前記表示端末に転送することを特徴とする受信装置。
【請求項５】
請求項４の受信装置において、
自装置用のバージョンアップ後のプログラムを、自装置の記憶部の、現在使用しているプログラム領域とは別のプログラム領域に書き込むことを特徴とする受信装置。
【請求項６】
請求項４または５の受信装置において、
デジタル放送を受信することを特徴とする受信装置。
【請求項７】
外部から送信されたデータを受信する受信装置と無線接続または有線接続され、受信装置から送信されたデータを受信してディスプレイ上に情報を表示する表示端末であって、
前記受信装置が外部から受信することによって前記受信装置から転送されたバージョンアップ後のプログラムを、記憶部の、現在使用しているプログラム領域とは別のプログラム領域に書き込むことを特徴とする表示端末。
【発明の詳細な説明】
【技術分野】
【０００１】
この発明は、受信装置および表示端末によって構成される、ワイヤレスＴＶ（テレビジョン）システムのような受信表示システム、および、この受信表示システムを構成する受信装置および表示端末に関する。
【背景技術】
【０００２】
ＣＳ（通信衛星）デジタル、ＢＳ（放送衛星）デジタル、地上デジタルなど、ＴＶ放送のデジタル化に伴い、放送側で、映像データや音声データだけでなく、プログラムを放送し、受信側で、そのプログラムを受信し、受信機の記憶装置に記録して、利用することが可能となっている。
【０００３】
具体的に、特許文献１（特開平８−１９５９５２号公報）には、衛星を利用した放送によって、デジタルＴＶ受信機（デコーダ）に記憶されている基本プログラムから分岐する拡張プログラムを送信し、受信機に記憶させることが示されている。
【０００４】
一方、ＴＶ放送を受信し、ディスプレイ上に映像情報などの情報を表示するシステムとして、ＴＶチューナが内蔵され、このＴＶチューナによりＴＶ放送を受信するベース装置（受信装置）と、このベース装置との間で、例えばＩＥＥＥ８０２．１１規格に準拠したワイヤレスＬＡＮ（Ｗｉｒｅｌｅｓｓ  Ｌｏｃａｌ  Ａｒｅａ  Ｎｅｔｗｏｒｋ）を形成して、ベース装置から送信されたデータを受信し、ディスプレイ上に映像情報などの情報を表示する表示端末とからなるシステムが考えられ、実用化されている。
【０００５】
さらに、このような受信表示システムで、ベース装置および表示端末をバージョンアップする方法として、特許文献２（特開２００２−１６３１１２号公報）には、１つのベース装置と複数の表示端末とからなるシステムにおいて、ベース装置用および表示端末用のバージョンアップ後の（バージョンアップされた）プログラムが書き込まれたメモリカードなどの着脱可能な記憶媒体を一の表示端末に装着することによって、一の表示端末は、自身のバージョンアップ前のプログラムをバージョンアップ後のプログラムに書き替えるとともに、ベース装置にベース装置用および表示端末用のバージョンアップ後のプログラムを送信し、ベース装置は、自身のバージョンアップ前のプログラムをバージョンアップ後のプログラムに書き替えるとともに、他の表示端末に表示端末用のバージョンアップ後のプログラムを送信し、他の表示端末は、自身のバージョンアップ前のプログラムをバージョンアップ後のプログラムに書き替える方法が示されている。
【０００６】
上に挙げた先行技術文献は、以下の通りである。
【特許文献１】特開平８−１９５９５２号公報
【特許文献２】特開２００２−１６３１１２号公報
【発明の開示】
【発明が解決しようとする課題】
【０００７】
しかし、ベース装置（受信装置）および表示端末からなる受信表示システムにおいて、ベース装置および表示端末をバージョンアップする方法として、特許文献２に示されているような、バージョンアップ後のプログラムが書き込まれた記憶媒体を表示端末に装着することによって、表示端末およびベース装置のプログラムを順次、バージョンアップする方法では、ユーザは、ベース装置によってＴＶ放送を受信することとは別に、プログラム提供者からバージョンアップ後のプログラムが書き込まれた記憶媒体を入手しなければならないとともに、プログラム提供者も、バージョンアップ後のプログラムが書き込まれた記憶媒体を各ユーザに配布しなければならず、ユーザおよびプログラム提供者の双方にとって、不便かつ面倒である。
【０００８】
そのため、このようなベース装置および表示端末からなる受信表示システムにおいても、特許文献１に示されているように放送によってバージョンアップ後のプログラムを送信することによって、ベース装置および表示端末をバージョンアップすることが望ましい。
【０００９】
しかしながら、そのようにするには、表示端末も、ベース装置とは別にＴＶチューナを備え、ＴＶ放送を受信できるものとしなければならず、システム全体が複雑化し、システム全体のコストアップを来たす。
【００１０】
そこで、この発明は、受信装置および表示端末によって構成される受信表示システムにおいて、表示端末が当該受信表示システムの外部から直接、データを受信する機能を持たなくても、当該受信表示システムの外部からバージョンアップ後のプログラムを送信することによって、受信装置および表示端末をバージョンアップすることができるようにしたものである。
【課題を解決するための手段】
【００１１】
この発明の受信表示システムは、
外部から送信されたデータを受信する受信装置と、この受信装置と無線接続または有線接続され、受信装置から送信されたデータを受信してディスプレイ上に情報を表示する表示端末とからなる受信表示システムであって、
前記受信装置は、外部からバージョンアップ後のプログラムを受信したとき、当該プログラムが自装置用のバージョンアップ後のプログラムであるか前記表示端末用のバージョンアップ後のプログラムであるかを判断して、当該プログラムが自装置用のバージョンアップ後のプログラムであるときには、当該プログラムを自装置の記憶部に書き込むとともに、当該プログラムが前記表示端末用のバージョンアップ後のプログラムであるときには、当該プログラムを前記表示端末に転送し、
前記表示端末は、前記受信装置から転送された自装置用のバージョンアップ後のプログラムを、自装置の記憶部に書き込む、
ことを特徴とする。
【００１２】
上記の受信表示システムでは、表示端末が受信表示システムの外部から直接、データを受信する機能を持たなくても、受信表示システムの外部からバージョンアップ後のプログラムを送信することによって、受信装置および表示端末をバージョンアップすることができる。
【発明の効果】
【００１３】
以上のように、この発明によれば、受信装置および表示端末によって構成される受信表示システムにおいて、表示端末が当該受信表示システムの外部から直接、データを受信する機能を持たなくても、当該受信表示システムの外部からバージョンアップ後のプログラムを送信することによって、受信装置および表示端末をバージョンアップすることができる。
【発明を実施するための最良の形態】
【００１４】
［１．システム構成：図１］
図１は、この発明の受信表示システムの一例を示す。
【００１５】
この例の受信表示システムは、ワイヤレスＴＶシステムとして構成され、ワイヤレスＬＡＮを形成する受信装置１０および表示端末３０からなる。
【００１６】
図では省略した放送側では、サーバでの処理によって、ＣＳデジタル放送またはＢＳデジタル放送のデータ放送の、例えばコンディショナルアクセスデータとして、バージョンアップ後のプログラムが、暗号化され、所定のデコーダＩＤ（識別子）を含む複数のパケットとして送信される。さらに、そのバージョンアップ後のプログラムは、受信装置用と表示端末用とに分けられ、それぞれのデータのヘッダ部には、受信装置用であるか、表示端末用であるかを示す情報が付加される。
【００１７】
受信装置１０は、この例では、ＣＳデジタル放送およびＢＳデジタル放送を受信するデジタルＴＶ受信装置として構成される。
【００１８】
具体的に、受信装置１０は、ＣＰＵ１１を備え、そのバス１２に、ＲＯＭ１３、ＲＡＭ１４、フロントエンド１５、トランスポート部１６、および無線通信インタフェース１７が接続され、フロントエンド１５に、コンバータ２１を備えるアンテナ２２が接続され、無線通信インタフェース１７に、アンテナ２４が接続され、ＩＣカード１８が、ＩＣカードインタフェース１９を介してバス１２に接続される。
【００１９】
ＣＳデジタル放送またはＢＳデジタル放送の電波は、アンテナ２２で受信され、コンバータ２１でダウンコンバートされて、フロントエンド１５に出力される。
【００２０】
フロントエンド１５では、コンバータ２１からの信号が、復調され、さらにエラー訂正されて、パケット単位のデータとしてトランスポート部１６に出力される。
【００２１】
トランスポート部１６では、フロントエンド１５からのデータパケットが、映像および音声のデータパケットと、コンディショナルアクセスデータのパケットとに分離される。上記のように、バージョンアップ後のプログラムは、コンディショナルアクセスデータに含まれる。
【００２２】
コンディショナルアクセスデータは、ＩＣカードインタフェース１９を介してＩＣカード１８に送られ、ＩＣカード１８に内蔵されているＣＰＵによって、当該の受信装置１０が当該のコンディショナルアクセスデータに対してアクセス権を有するか否かが判断される。
【００２３】
具体的に、ＩＣカード１８に内蔵されているＣＰＵは、ＣＰＵ１１に対して当該の受信装置１０に割り当てられているデコーダＩＤを要求し、これに応答してＣＰＵ１１は、ＲＯＭ１３に記憶されているデコーダＩＤを、ＲＯＭ１３から読み出してＩＣカード１８に送る。ＩＣカード１８に内蔵されているＣＰＵは、そのデコーダＩＤが当該のコンディショナルアクセスデータに対してアクセス権を有するデコーダＩＤであるか否かを判断する。
【００２４】
そして、受信装置１０がコンディショナルアクセスデータに対してアクセス権を有する場合には、ＩＣカード１８からＩＣカードインタフェース１９を介してトランスポート部１６に、暗号解読のためのキー（コントロールワード）が出力され、トランスポート部１６は、このキー（コントロールワード）を用いて、コンディショナルアクセスデータの暗号解読処理を実行する。
【００２５】
トランスポート部１６で分離された映像音声パケットのデータは、無線通信インタフェース１７によって、無線周波数の信号として、アンテナ２４から表示端末３０に送信される。また、後述のように、コンディショナルアクセスデータとしてのバージョンアップ後のプログラムのうちの、表示端末３０用のプログラムも、無線通信インタフェース１７によって、無線周波数の信号として、アンテナ２４から表示端末３０に送信される。
【００２６】
ＲＯＭ１３は、不揮発性の書き換え可能なものとされ、図２（Ａ）に示すように、その記憶領域が、プログラム領域１３ａおよび１３ｂとフラグ領域１３ｃとに分けられる。
【００２７】
プログラム領域１３ａおよび１３ｂは、別個のプログラムが書き込まれるものとされ、ＣＰＵ１１は、プログラム領域１３ａおよび１３ｂの一方の領域に書き込まれているプログラムを実行し、他方の領域は、バージョンアップ後の新たなプログラムを書き込む領域として確保される。フラグ領域１３ｃには、いずれのプログラム領域に書き込まれているプログラムを実行するかを示す識別フラグが書き込まれる。
【００２８】
例えば、現在、プログラム領域１３ａを使用している（プログラム領域１３ａに書き込まれているプログラムを実行している）場合、受信装置１０のバージョンアップでは、ＣＰＵ１１は、バージョンアップ後の新たなプログラムをプログラム領域１３ｂに書き込み、書き込みが完了したタイミングでフラグ領域１３ｃの識別フラグを書き換え、次回起動時にはプログラム領域１３ｂを使用する（プログラム領域１３ｂに書き込まれているプログラムを実行する）ように、受信装置１０を構成する。
【００２９】
図１に示すように、表示端末３０は、ＣＰＵ３１を備え、そのバス３２に、ＲＯＭ３３、ＲＡＭ３４、および無線通信インタフェース３５が接続され、無線通信インタフェース３５に、アンテナ３６が接続される。
【００３０】
また、バス３２に、映像デコーダ３７および映像出力回路３８を介して、液晶ディスプレイなどのディスプレイ３９が接続され、音声デコーダ４１および音声出力回路４２を介して、スピーカ４３が接続される。
【００３１】
さらに、バス３２に、キー操作部４５が、キーインタフェース４６を介して接続され、ディスプレイ３９の表示画面上に設けられたタッチパネル４７が、座標検出部４８を介して接続される。
【００３２】
受信装置１０のアンテナ２４から送信された、映像音声パケットのデータ、および表示端末３０用のバージョンアップ後のプログラムは、表示端末３０のアンテナ３６で受信され、無線通信インタフェース３５を介してバス３２に出力される。
【００３３】
バス３２に出力された映像データは、映像デコーダ３７でデコードされ、音声データは、音声デコーダ４１でデコードされ、表示端末３０用のバージョンアップ後のプログラムは、ＣＰＵ３１によってＲＯＭ３３に書き込まれる。
【００３４】
受信装置１０のＲＯＭ１３と同様に、ＲＯＭ３３は、不揮発性の書き換え可能なものとされ、図２（Ｂ）に示すように、その記憶領域が、プログラム領域３３ａおよび３３ｂとフラグ領域３３ｃとに分けられる。
【００３５】
プログラム領域３３ａおよび３３ｂは、別個のプログラムが書き込まれるものとされ、ＣＰＵ３１は、プログラム領域３３ａおよび３３ｂの一方の領域に書き込まれているプログラムを実行し、他方の領域は、バージョンアップ後の新たなプログラムを書き込む領域として確保される。フラグ領域３３ｃには、いずれのプログラム領域に書き込まれているプログラムを実行するかを示す識別フラグが書き込まれる。
【００３６】
例えば、現在、プログラム領域３３ａを使用している（プログラム領域３３ａに書き込まれているプログラムを実行している）場合、表示端末３０のバージョンアップでは、ＣＰＵ３１は、バージョンアップ後の新たなプログラムをプログラム領域３３ｂに書き込み、書き込みが完了したタイミングでフラグ領域３３ｃの識別フラグを書き換え、次回起動時にはプログラム領域３３ｂを使用する（プログラム領域３３ｂに書き込まれているプログラムを実行する）ように、表示端末３０を構成する。
【００３７】
［２．バージョンアップ方法：図３および図４］
受信装置１０のＣＰＵ１１は、コンディショナルアクセスデータとしてのバージョンアップ後のプログラムの上述したヘッダ情報から、当該のバージョンアップ後のプログラムが、受信装置１０（自装置）用であるか、表示端末３０用であるかを判断し、受信装置１０（自装置）用であるときには、そのバージョンアップ後のプログラムを、例えばＡＥＳ（Ａｄｖａｎｃｅｄ  Ｅｎｃｒｙｐｔｉｏｎ  Ｓｔａｎｄａｒｄ）によって復号して、上記のようにＲＯＭ１３に書き込み、例えばＭＤ５（Ｍｅｓｓａｇｅ  Ｄｉｇｅｓｔ  Ｆｉｖｅ）によってデータチェックを行う。
【００３８】
一方、当該のバージョンアップ後のプログラムが表示端末３０用であるときには、受信装置１０のＣＰＵ１１は、例えばＦＴＰ（Ｆｉｌｅ  Ｔｒａｎｓｆｅｒ  Ｐｒｏｔｏｃｏｌ）によって表示端末３０に接続して、そのバージョンアップ後のプログラムを表示端末３０に転送する。
【００３９】
表示端末３０のＣＰＵ３１は、その受信装置１０から転送された自装置（表示端末３０）用のバージョンアップ後のプログラムを、例えばＡＥＳによって復号して、上記のようにＲＯＭ３３に書き込み、例えばＭＤ５によってデータチェックを行う。
【００４０】
図３に、データ放送受信時に受信装置１０のＣＰＵ１１が行う以上のような処理の一例を示す。
【００４１】
この例では、ステップ５１で、データ放送の受信を開始した後、ステップ５２で、例えばデータ受信終了パケットを受信したか否かによって、データ受信終了か否かを判断し、データ受信終了でなければ、ステップ５２からステップ５３に進んで、受信データがあるか否かを判断し、受信データがなければ、ステップ５３からステップ５２に戻るが、受信データがあれば、ステップ５３からステップ５４に進んで、データを受信してＲＡＭ１４に一時記憶する。
【００４２】
受信装置１０のＣＰＵ１１は、次に、ステップ５５に進んで、受信したデータのヘッダ情報から、受信したデータが、受信装置１０（自装置）用のバージョンアップ後のプログラムであるか、表示端末３０用のバージョンアップ後のプログラムであるかを判断する。
【００４３】
そして、受信したデータが受信装置１０（自装置）用のバージョンアップ後のプログラムであるときには、ステップ５５からステップ５６に進んで、そのデータ、すなわち受信装置１０（自装置）用のバージョンアップ後のプログラムを、復号し、上記のようにＲＯＭ１３の現在使用していない方のプログラム領域、例えばプログラム領域１３ｂに書き込んだ後、ステップ５３に戻る。
【００４４】
一方、受信したデータが表示端末３０用のバージョンアップ後のプログラムであるときには、ステップ５５からステップ５７に進んで、例えばＦＴＰによって表示端末３０に接続して、そのデータ、すなわち表示端末３０用のバージョンアップ後のプログラムを、表示端末３０に転送し、表示端末３０との接続を切断して、ステップ５３に戻る。
【００４５】
ステップ５２でデータ受信終了と判断したときには、ステップ５８に進んで、例えばＦＴＰによって表示端末３０に接続し、例えば拡張ＦＴＰコマンドによって表示端末３０を再起動させた後、ステップ５９に進んで、受信装置１０（自装置）を再起動する。
【００４６】
上記のように、受信装置１０および表示端末３０は、再起動時には、バージョンアップ後の新たなプログラムで起動する。
【００４７】
図４に、受信装置１０でのデータ放送受信時に表示端末３０のＣＰＵ３１が行う上記のような処理の一例を示す。
【００４８】
この例では、表示端末３０の電源がオンにされたとき、ＣＰＵ３１は、まずステップ７１で、受信装置１０からの接続要求があるか否かを判断し、受信装置１０からの接続要求があったときには、ステップ７２で、例えばＦＴＰによって受信装置１０と接続し、次にステップ７３で、受信装置１０からコマンドを受信し、さらにステップ７４で、その受信したコマンドがデータ受信要求コマンドであるか否かを判断する。
【００４９】
そして、受信したコマンドがデータ受信要求コマンドであるときには、ステップ７４からステップ７５に進んで、そのデータ、すなわち表示端末３０（自装置）用のバージョンアップ後のプログラムを受信し、復号して、上記のようにＲＯＭ３３の現在使用していないプログラム領域、例えばプログラム領域３３ｂに書きみ、さらにステップ７６に進んで、受信装置１０との接続を切断して、ステップ７１に戻る。
【００５０】
一方、受信したコマンドがデータ受信要求コマンドでないときには、ステップ７４からステップ７７に進んで、受信したコマンドが再起動要求コマンドであるか否かを判断し、受信したコマンドが再起動要求コマンドであるときには、すでにバージョンアップ後のプログラムの受信を完了しているので、ステップ７７からステップ７８に進んで、表示端末３０（自装置）を再起動し、バージョンアップ後の新たなプログラムを実行する。
【００５１】
受信したコマンドが再起動要求コマンドでもないときには、ステップ７７からステップ７９に進んで、コマンドに応じた処理を実行する。
【００５２】
［３．他の実施形態または例］
上述した例は、バージョンアップ後のプログラムが、ＣＳデジタル放送またはＢＳデジタル放送のデータ放送として送信され、受信装置１０で受信される場合であるが、バージョンアップ後のプログラムが、地上デジタル放送のデータ放送として送信され、受信装置で受信される場合にも、同様である。
【００５３】
さらに、この発明は、ＴＶ放送ではなく、ケーブルＴＶや、インターネットなどの通信ネットワークによって、受信装置でデータを受信し、表示端末で情報を表示する場合にも、適用することができる。
【００５４】
さらに、受信表示システムを構成する受信装置および表示端末は、上述した例のように無線接続されるものに限らず、有線接続されるものでもよい。
【図面の簡単な説明】
【００５５】
【図１】この発明の受信表示システムの受信装置および表示端末の一例を示す図である。
【図２】受信装置および表示端末のＲＯＭの説明に供する図である。
【図３】受信装置のＣＰＵが行うデータ放送受信処理の一例を示す図である。
【図４】表示端末のＣＰＵが行う受信処理の一例を示す図である。
【符号の説明】
【００５６】
主要部については図中に全て記述したので、ここでは省略する。
【図１】
2007184753.tif 000003
【図２】
2007184753.tif 000004
【図３】
2007184753.tif 000005
【図４】
2007184753.tif 000006